(57)【要約】【課題】チェックアウトカウンターがチェックアウト休止中であることを確実に知らせることができるとともに、チェックアウト稼動中に側枠等が通路内の顧客の自由な移動を妨げることがなく、コンパクトに折り畳んで収容することができ、しかもより多くの商品を効果的に陳列できるようにする。【解決手段】左右いずれかの側方に顧客用の通路２１が形成されるチェックアウトカウンター２０の前面に配設される陳列棚１において、前面に主陳列部２を有し、通路２１側の側面後部に前方を向く中間枠３の後部を垂直軸をもって枢着し、かつ中間枠３の前端部に、後方を向く側枠５の前端部を垂直軸をもって枢着し、中間枠３と側枠５とを、側方に展開することにより、通路２１を閉鎖しうるようにする。【選択図】        図４
2004357796.tif 000002
【特許請求の範囲】
【請求項１】
左右いずれかの側方に顧客用の通路が形成されるチェックアウトカウンターの前面に配設される陳列棚において、
前面に主陳列部を有し、前記通路側の側面後部に前方を向く中間枠の後部を垂直軸をもって枢着し、かつ前記中間枠の前端部に後方を向く側枠の前端部を垂直軸をもって枢着し、前記中間枠と側枠とを、側方に展開することにより、前記通路を閉鎖しうるようにしたことを特徴とするチェックアウトカウンター用陳列棚。
【請求項２】
側枠の外側面を副陳列部とした請求項１記載のチェックアウトカウンター用陳列棚。
【請求項３】
中間枠と側枠とを、直線状に展開した状態で、両者を、掛け金をもって固定保持しうるようにしたことを特徴とする請求項１または２記載のチェックアウトカウンター用陳列棚。
【請求項４】
中間枠の内側面に、通路への進入を禁止する表示を設けた請求項１〜３のいずれかに記載のチェックアウトカウンター用陳列棚。
【請求項５】
側枠の前後部に、外側方に向かって突出する正面視コ字状の取手兼ガード部材を設けた請求項１〜４のいずれかに記載のチェックアウトカウンター用陳列棚。
【発明の詳細な説明】
【０００１】
【発明の属する技術分野】
本発明は、スーパーマーケットやホームセンター等において、チェックアウトカウンターの前面に配設される陳列棚に関する。
【０００２】
【従来の技術】
図５、及び特許文献１に開示されているように、従来、チェックアウトカウンターの前面に配設される陳列棚（０１）としては、主陳列部（０２）の側面前部に、副陳列部（０４）を有する側枠（０３）を垂直軸をもって枢着し、上記側枠（０３）を、チェックアウトカウンター休止中に、顧客用の通路と直交する方向に向けて通路の入口を閉鎖するようにしたものがある。
【０００３】
【特許文献１】
特開２００１−３２１２５３
【０００４】
【発明が解決しようとする課題】
顧客用の通路の入口を閉鎖するには、側枠（０３）の幅を、顧客用の通路の幅とほぼ等しくしなければならず、そのようにすると、チェックアウト稼動中に、側枠（０３）を通路内において該通路と平行に配設したとき、副陳列部（０４）が通路の長い範囲にわたって通路内に突出し、顧客の通行を妨げるおそれがある。
また、通路の入口部から奥まった位置にある副陳列部（０４）に陳列された商品は、入口付近を移動する顧客の目に入らず、顧客の購買意欲を誘発させる効果が小さい。
【０００５】
本発明は、上述の問題点に鑑みてなされたもので、チェックアウトカウンターがチェックアウト休止中であることを確実に知らせることができるとともに、チェックアウト稼動中に、側枠等が通路内の顧客の自由な移動を妨げることがなく、コンパクトに折り畳んで収容することができ、しかも、商品を効果的に陳列することもできるようにしたチェックアウトカウンター用陳列棚を提供することを目的としている。
【０００６】
【課題を解決するための手段】
本発明によると、上記課題は、次のようにして解決される。
（１）    左右いずれかの側方に顧客用の通路が形成されるチェックアウトカウンターの前面に配設される陳列棚において、前面に主陳列部を有し、前記通路側の側面後部に前方を向く中間枠の後部を垂直軸をもって枢着し、かつ前記中間枠の前端部に後方を向く側枠の前端部を垂直軸をもって枢着し、前記中間枠と側枠とを、側方に展開することにより、前記通路を閉鎖する。
【０００７】
（２）    上記（１）項において、側枠の外側面を副陳列部とする。
【０００８】
（３）  上記（１）または（２）項において、中間枠と側枠とを、直線状に展開した状態で、両者を、掛け金をもって固定保持しうるようにする。
【０００９】
（４）  上記（１）〜（３）項のいずれかにおいて、中間枠の内側面に、通路への進入を禁止する表示を設ける。
【００１０】
（５）  上記（１）〜（４）項のいずれかにおいて、側枠の前後部に、外側方に向かって突出する正面視コ字状の取手兼ガード部材を設ける。
【００１１】
【発明の実施の形態】
以下、本発明の一実施形態である陳列棚（１）を、図１〜図４を参照しながら説明する。
【００１２】
本実施形態の陳列棚（１）は、チェックアウトカウンター（２１）の前面に配設され、かつ複数段の棚板（２ａ）を備える前面の主陳列部（２）と、主陳列部（２）の両側面後部に垂直軸（図示略）をもって後部が枢着された前方を向く中間枠（３）と、垂直軸（図示略）をもって中間枠（３）の前部に前端部が枢着された後方を向く側枠（５）とを備えており、常時は、図３に示すように、主陳列部（２）の両側面に、中間枠（３）と側杆（５）とが互いに密接するようして折り畳まれて、チェックアウトカウンター（２１）の通路（２２）を開放しており、図１及び図４に示すように、中間枠（３）と側枠（５）とを、通路（２２）と直交する方向に側方に展開することにより、通路（２２）の入口を閉鎖しうるようになっている。
【００１３】
主陳列部（２）の下面四隅には、４個のストッパ機能付きのキャスタ（１１）が取り付けられており、陳列棚（１）の移設を簡単に行えるようになっている。。
【００１４】
図２に示すように、中間枠（３）の前部内側面には、係合ピン（７）が突設されており、それに対応する側枠（５）の前部外側面には、掛け金（８）が、軸（８ａ）をもって枢着されており、図１に示すように、中間枠（３）と側枠（５）とを側方へ展開した状態で、掛け金（８）を係合ピン（７）に係止することにより、中間枠（３）と側枠（５）とを、互いに直線状に側方に展開した状態で固定し合うことができる。
なお、掛け金（８）を中間枠（３）側に設け、係合ピン（７）を側枠（５）側に設けてもよい。
【００１５】
中間枠（３）には、進入禁止のマークを付設した表示板（９）が取り付けられており、図３に示すように、中間枠（３）と側枠（５）とが折り畳まれているときは、表示板（９）は主陳列部（２）の内方を向き、目立たないが、図１及び図４に示すように、中間枠（３）と側枠（５）とを側方に展開すると、表示板（９）は前面に露呈し、顧客に、チェックアウトカウンター（２０）が休止中であることを確実に知らせることができる。
【００１６】
側枠（５）には、内部に格子状の網部材（５ａ）がはめ込まれ、網部材（５ａ）には、図示を省略した係止手段により、奥行きの浅いトレー（５ｂ）等が係止され、副陳列部（６）が形成されている。
また、側枠（５）の後端部下面には、１個のストッパ機能付きのキャスタ（１１）が取り付けられており、中間枠（３）と側枠（５）との側方への展開を簡単に行える。
【００１７】
チェックアウトカウンター（２０）が稼動中の場合には、図３に示すように、中間枠（３）と側枠（５）とを、主陳列部（２）の側面に近接するように折り畳んでおくことにより、チェックアウトカウンター（２０）の通路（２１）の入口部は開放し、副陳列部（６）は、通路（２１）を通る顧客の妨げとなることはない。
【００１８】
一方、チェックアウトカウンター（２０）が停止中の場合には、図４に示すように、中間枠（３）と側枠（５）とを側方へ展開をし、チェックアウトカウンター（２０）の通路の入口部（２１）を閉鎖することにより、顧客にチェックアウトカウンター（２０）がチェックアウト休止中であることを知らせることができるだけでなく、副陳列部（６）を顧客の目に入り易くし、顧客の購買意欲を高めることができる。
【００１９】
【発明の効果】
（Ａ）  請求項１記載の発明によると、中間枠と側枠とを、通路を閉鎖するように側方に展開することにより、顧客に、チェックアウトカウンターがチェックアウト休止中であることを確実に知らせることができ、また、チェックアウト稼働中には、中間枠と側枠とを、主陳列部の側面に近接するように折り畳んでおくことにより、それらがチェックアウトカウンターの通路を通行する顧客の妨げとならないようにすることができる。
さらに、側枠の前後長の倍の幅の通路を確実に閉鎖することができる。
【００２０】
（Ｂ）  請求項２記載の発明によると、通路の開閉機能だけでなく、商品陳列機能も果たすので、店の売り上げ増加を図ることができる。
特に、中間枠と側枠とを、通路を閉鎖するように展開したときは、副陳列部を前面に向けて、顧客の購買意欲を高めることができ、また、チェックアウト稼働中には、中間枠と側枠とを、主陳列部の側面に近接するように折り畳んでおくことにより、チェックアウトカウンターの通路を顧客が通過する際に、副陳列部に陳列した商品を間近かに、手に取り易くて、顧客の購買意欲を高めることができる。
【００２１】
（Ｃ）  請求項３記載の発明によると、中間枠と側枠とを、展開した状態で互いに固定し合って、それらが妄りに移動しないようにすることができる。
【００２２】
（Ｄ）  請求項４記載の発明によると、顧客に、チェックアウトカウンターが休止中であることをさらに明確に知らせることができる。
【００２３】
（Ｅ）  請求項５記載の発明によると、取手兼ガード部材により、通路の開閉を簡単に行うことができるので、店員の負担を軽減することができるとともに、顧客と副陳列棚との衝突を防止することができる。
【図面の簡単な説明】
【図１】本発明の一実施形態の展開時の斜視図である。
【図２】同じく、図１のＡ部の部分拡大斜視図である。
【図３】同じく、中間枠と側枠とを折り畳んだときの斜視図である。
【図４】同じく、中間枠と側枠とを側方に展開したときの斜視図である。
【図５】従来の陳列棚の斜視図である。
【符号の説明】
（１）陳列棚
（２）主陳列部
（２ａ）棚板
（３）中間枠
（５）側枠
（５ａ）網部材
（５ｂ）トレー
（６）副陳列部
（７）係合ピン
（８）掛け金
（８ａ）軸
（９）表示板
（１０）取手兼ガード部材
（１１）キャスタ
（２０）チェックアウトカウンター
（２１）通路
【図１】
2004357796.tif 000003
【図２】
2004357796.tif 000004
【図３】
2004357796.tif 000005
【図４】
2004357796.tif 000006
【図５】
2004357796.tif 000007